(57)【要約】      （修正有）【課題】当事者の周囲環境に存在するあるいは当事者が利用する薬、飲食物、装飾品、車両、対人関係等がどのように当事者に影響を与えるか判断する上で、当事者が単独で行い且つ客観的数値を基に判断が可能となるオーリングテストに関する指挟圧比較測定器を提供する。【解決手段】Ｏリングテストにおける人差指、中指、薬指又は小指のいずれか１本の指と親指とで狭圧した時の挟圧を検出する圧力検出部と、圧力検出部からの信号を記憶すると共に所定の演算をするＣＰＵと、圧力表示部とを備え、ＣＰＵが利き手とは別の手に被検査物を持たずに行ったＯリングテストにおける圧力信号値と利き手とは別の手に被検査物を持って行った圧力信号値との差を求めて圧力表示部に表示する構成となっている。【選択図】図５
2005118486.tif 000002
【特許請求の範囲】
【請求項１】
当事者の片手５本の指において、人差指、中指、薬指あるいは小指のいずれか１本の指と親指とで狭圧する圧力検出部と当該圧力検出部で検出した最高圧力を基準圧力として電気信号に変換する圧力電気信号変換部と当該圧力電気信号変換部で変換した信号を電気的処理し記憶するＣＰＵと当該信号をデジタル数値として表示する圧力数値表示部を有し、該当事者が被検出物として選定した物体、生物あるいは人間を該当事者の前記片手以外の手で接触した状態で前期と同様な作業即ち前記狭圧した同指を使用して狭圧し検出した当該最高圧力を被検出圧力としてＣＰＵに記憶し且つ圧力数値表示部にデジタル数値として表示し、該ＣＰＵに記憶した前記基準圧力と前記被検出圧力を当該ＣＰＵにて演算処理を行いその数値の差を表示する圧力比較表示部を有した機能を特徴とする指挟圧比較測定器。
【請求項２】
請求項１記載の指挟圧比較測定器において、当該指挟圧比較測定器本体の歪を矯正する目的を有した波動転写物を当該本体内部に組み込んだあるいは装着を随時可能にする波動転写物装着室を有した構造を特徴とする指挟圧比較測定器。
【請求項３】
請求項１及び請求項２記載の指挟圧比較測定器において、当該指挟圧比較測定器本体の重量が３００ｇ以下及び当該本体の寸法の厚部が１０ｍｍ以下、即ち、携帯での使用が可能となる形状を特徴とする指挟圧比較測定器。
【発明の詳細な説明】
【発明の詳細な説明】
【技術分野】
【０００１】    本発明は、当事者の周囲環境に存在するあるいは当事者が利用する薬、飲食物、嗜好品、装飾品、家具・調度品、食器、小物品、車両、対人関係等がどのように当事者に影響を与えるか判断する上で、当事者が単独で行い且つ客観的数値を基に判断が可能となるオーリングテストに関するものである。
【背景技術】
【０００２】    当事者の周囲環境に存在するあるいは当事者が利用する薬、飲食物、嗜好品、装飾品、家具・調度品、食器、小物品、車両、対人関係等が当事者に対して有益性があるのかあるいは有害性があるのか判断する方法としてオーリングテストが従来から行われている。このオーリングテストとは、最初に当事者即ち被験者は利き腕以外の手には何も持たずあるいは触れない状態で被験者の利き腕側の親指と人差指の先端を接触させて輪を作り最大限の力を込めて狭圧する。一方協力者は被験者が親指と人差指で作った輪を協力者の両手を使い引き離そうとする。この時の力を被験者と協力者の両者は記憶しておく。次に被験者は空いている片手で被験者に対して有益性なのか有害性なのか判断する為に被験者が検査を望む物、例えばタバコ、を掴んであるいは接触した状態で被験者の利き腕側の親指と人差指の先端を接触させて輪を作り最大限の力を込めて狭圧する。そして協力者は被験者が親指と人差指で作った輪を協力者の両手を使い引き離そうとする。この時の力と最初に行った力の差を被験者と協力者が比較して被験者が検査を望んだ物が最初の力より２回目の力が弱ければ有害性、また最初の力より２回目の力が強ければ有益性と判断するものである。しかしこの従来の方法では、当事者即ち被験者がオーリングテストの検査を行う為には少なくとも１名の協力者が必要でありまた非検出物が被験者と協力者の両方に一致して有益性あるいは有害性であれば同一の検査結果が得られるが、非検出物の有益性あるいは有害性が被験者と協力者間で異なる場合は必ずしも同一の結果が得られない欠点があった。また非検出物の有益性あるいは有害性が被験者に対して微妙な場合は、最初に行うオーリングテストの力と２回目に行うオーリングテストの力の差を判断出来ない欠点もあった。【０００３】    この欠点を補う方法して、例えば特開２００２−８５３８８公報に記載されているように、一人オーリングテスト用器具がある。この方法は、
梃子の原理を応用して、かんしのようなものに、片手の２本の指でＯ−リングを作り、支点を中心として反対方向に指をかけるくぼみをたくさん作り、梃子の原理を応用して、Ｏ−リングが開く所を指で代えながら調べるという方法である。この器具を用いれば、Ｏ−リングテストによる正常／異常の判断、共鳴現象、薬剤適合性試験を一人で行い調べることができる。これにより正確に行うことが難しい一人オーリングテストに客観的な段階評価をつけ、指筋力の変化の割合を客観的な段階評価で示すことを可能にする。また個人差により段階評価が何段階までできるか変わってくるが、約１０段階の段階評価が可能である。しかしこの従来の方法では、非検出物の有益性あるいは有害性が当事者に対して微妙な影響度の場合例え約１０段階の段階評価であっても判断が難しくなる。また正確に段階評価をしようとする場合、約１０段階評価をする力点側の延長部を長くする必要があり当該器具の重量自体の影響を受ける欠点がある。【０００４】    この欠点を補う方法として、例えば特開２００３−４７６００３公報に記載されているように、表面が摩擦係数の低い平滑面となった棒状または板上の把持体と、輪を作った指で把持体を把持してこれを移動させようとしたときに、把持体に抵抗力を作用させると共にその抵抗力の大小を示すことが可能な抵抗力付与手段とを備えるオーリングテスト検査器具がある。これにより大がかりな装置を必要とせずに被験者一人でも行える簡単な方法でオーリングテストを作った指の握力変化を測定することによって、身体の異常部位の判定または薬や飲食物の有害性、装身具の適合性の判定等を、客観的かつ手軽に行えるオーリングテスト検査器具である。しかしこの従来の方法でも、非検出物が当事者に対して有益性あるいは有害性が微妙な場合、判断の手段が当該把持体と当該輪の抵抗力による為、当該輪を成す指の汗のかき具合に影響を受けるため正確に当該抵抗力の測定が難しい欠点がある。【０００５】    これら前記の欠点を解決する方法として、例えば特開平７−２８９５２５公報に記載されているオーリングテスト装置がある。この方法は、表裏から挟まれたときにその圧力値を出力する圧力検知手段と、最良値書き込みモードと測定モードとに切り換える手段と、最良値書き込みモードにおいては、前記圧力値を最良値として記憶し、測定モードにおいては、記憶していた最良値を出力する記憶手段と、該記憶手段から出力された最良値に対する前記圧力検知手段から出力された圧力値の割合を演算する演算手段と、前記割合を表示する表示手段を具備したことを特徴とする。また当事者即ち測定対象者が平常状態のときに測定した圧力値を、平常値として記憶させておくには、微細な気泡が混入された水であって、その気泡の破裂等による振動が発生している状態の水を触った状態で測定すると、最良のデータが得られる。この装置により、オーリングテストを自分一人で、何時でも何処でも、手軽に行えるという効果が得られるのである。測定対象者の最良値を予め記憶させておくので、個人差による測定誤差も無くすことができ、正確なオーリングテストが可能となる。またこのオーリングテスト装置を常時携行して、種々の状態でオーリングテストをすること���よって、自分に適した好ましい状態や環境を把握し、自分の健康管理に役立てることができるという効果が得られるのである。しかしこの従来の当該装置では、予め当事者即ち測定対象者の平常状態のときに測定した圧力値を平常値と記憶させている為、測定者自身のその都度の状態を測定するには何ら問題が無いと考えられるが、当事者の周囲環境に存在するあるいは当事者が利用する薬、飲食物、嗜好品、装飾品、家具・調度品、食器、小物品、車両、対人関係等が当事者に対して有益性があるのかあるいは有害性があるのか判断する場合、測定者その時の状態に大きく影響を受ける為例え非検出物が有益性があるものあるいは状態であっても有害性があるものあるいは状態という数値が表示される場合もある。また当該装置において測定者の平常状態の圧力値を使用せずに圧力値を測定した場合、測定者及び当該装置は非検出物の影響を受けている為、当事者即ち測定者に対する非検出物の有害性あるいは有益性が微妙な場合、前記従来の方法同様に正確な測定値を期待するのは難しい。【０００６】    尚、指を挟んでその力を検知し数値で表示する方法は従来から体力測定の器具の一つとして用いられている為、何ら新規発明には当たらない。
【発明が解決しようとする課題】
【０００７】    当事者の片手５本の指において、人差指、中指、薬指あるいは小指のいずれか１本の指と親指とで狭圧する圧力検出部と当該圧力検出部で検出した最高圧力を基準圧力として電気信号に変換する圧力電気信号変換部と当該圧力電気信号変換部で変換した信号を電気的処理し記憶するＣＰＵと当該信号をデジタル数値として表示する圧力数値表示部を有し、該当事者が被検出物として選定した物体、生物あるいは人間を該当事者の前記片手以外の手で接触した状態で前期と同様な作業即ち前記狭圧した同指を使用して狭圧し検出した当該最高圧力を被検出圧力としてＣＰＵに記憶し且つ圧力数値表示部にデジタル数値として表示し、該ＣＰＵに記憶した前記基準圧力と前記被検出圧力を当該ＣＰＵにて演算処理を行いその数値の差を表示する圧力比較表示部を有し、当事者に対し被検出物の有害性あるいは有益性が微妙な場合に備えて、当該指挟圧比較測定器本体の歪を矯正する目的を有した波動転写物を当該本体内部に組み込んだあるいは装着を随時可能にする波動転写物装着室を有し、従来の前記装置でオーリングテストにおいて当該装置を表裏から挟まれたときにその圧力値を出力する圧力検知手段の方法では、携帯を目的とするには制作上困難が多くまた高価なものになるため、本発明である指挟圧比較測定器本体と水平に梃子の原理を応用した圧力検出部を設け且つ本発明の指挟圧比較測定器本体の重量が８００ｇ以下及び当該本体の寸法の厚部が１０ｍｍ以下即ち携帯での使用が可能となる形状を有し、従来の問題を解決することを目的とするものである。
【課題を解決するための手段】
【０００８】    本発明は上記目的を達成するために当事者の片手５本の指において、人差指、中指、薬指あるいは小指のいずれか１本の指と親指とで狭圧する圧力検出部と当該圧力検出部で検出した最高圧力を基準圧力として電気信号に変換する圧力電気信号変換部と当該圧力電気信号変換部で変換した信号を電気的処理し記憶するＣＰＵと当該信号をデジタル数値として表示する圧力数値表示部を有し、該当事者が被検出物として選定した物体、生物あるいは人間を該当事者の前記片手以外の手で接触した状態で前期と同様な作業即ち前記狭圧した同指を使用して狭圧し検出した当該最高圧力を被検出圧力としてＣＰＵに記憶し且つ圧力数値表示部にデジタル数値として表示し、該ＣＰＵに記憶した前記基準圧力と前記被検出圧力を当該ＣＰＵにて演算処理を行いその数値の差を表示する圧力比較表示部を有し、当事者に対し被検出物の有害性あるいは有益性が微妙な場合に備えて、当該指挟圧比較測定器本体の歪を矯正する目的を有した波動転写物を当該本体内部に組み込んだあるいは装着を随時可能にする波動転写物装着室を有し、従来の前記装置でオーリングテストにおいて当該装置を表裏から挟まれたときにその圧力値を出力する圧力検知手段の方法では、携帯を目的とするには制作上困難が多くまた高価なものになるため、本発明である指挟圧比較測定器本体と水平に梃子の原理を応用した圧力検出部を設け且つ本発明の指挟圧比較測定器本体の重量が３００ｇ以下及び当該本体の寸法の厚部が１０ｍｍ以下即ち携帯での使用が可能となる形状を有しことを特徴とする指挟圧比較測定器である。
【発明を実施するための最良の形態】
【０００９】    以下、本発明の実施の形態として一実施例を図１から図５に基づいて詳述する。図１はオーリングテストの基本形である。被験者即ち当事者利き腕側の片手の指において親指と人差指にて輪を作り可能な限りの力で図１の矢印Ａの方向に狭圧する。因みに当事者が狭圧する矢印Ａの力を協力者が矢印Ｂの方向に引き離そうとする力の差を比べるのが従来のオーリングテストと呼ばれているものである。この狭圧状態を保ち狭圧値をデジタル圧力数値として表示するようにしたものが実施例の１例として表示されている図３及び図４の指挟圧比較測定器の概略斜視図である。尚、図３及び図４に表示されている実施例は、本発明の内容を具現化したものに過ぎず図３及び図４の外形に拘束されるものではない。【００１０】図２は本発明の主要回路のブロック図である。当事者が利き手とは別の手に被検査物を持たずあるいは触れず、オーリングテストと呼ばれている利き腕側の片手の指において親指と人差指にて輪を作り可能な限りの力で図１の矢印Ａの方向に狭圧して測定する当事者の基準圧力の測定と、当事者が利き手とは別の手に被検査物を持ってあるいは触れて、オーリングテストと呼ばれている利き腕側の片手の指において親指と人差指にて輪を作り可能な限りの力で図１の矢印Ａの方向に狭圧して測定する被検出圧力の測定を選択する切替スイッチ部１１と、図１の様態で前記オーリングテストの指圧による狭圧を測定可能にする圧力検出部１３と、狭圧を電気信号に変換する圧力電気信号変換部１４と、その変換された電気信号を演算処理並びに記憶するＣＰＵ１５と、前記当事者の基準圧力の測定数値と前記当事者が被検査物として選定した被検出圧力の測定数値をデジタル表示で表示する圧力数値表示部１６と、前記当事者の当該基準圧力の測定数値と前記当事者が被検査物として選定した当該被検出圧力の測定数値を前記ＣＰＵ１５にて演算しその差数をデジタル、イラスト、グラフで表示する圧力比較表示部１７から成る。【００１１】尚、前記ではオーリングテストと呼ばれている利き腕側の片手の指において親指と人差指にて輪を作り可能な限りの力で図１の矢印Ａの方向に狭圧して測定する当事者の基準圧力の測定と、当事者が利き手とは別の手に被検査物を持ってあるいは触れて、オーリングテストと呼ばれている利き腕側の片手の指において親指と人差指にて輪を作り可能な限りの力で図１の矢印Ａの方向に狭圧して測定する被検出圧力の測定と表記しているが、当該基準圧力の測定と当該被検出圧力の測定を同じ手すなわち利き腕側の手あるいは利き腕以外の手で前記オーリングテストと呼ばれている狭圧測定を行うのであれば前記表記のように必ずしも利き腕側の手で当該オーリングテストをしなければならないというものではない。【００１２】前記オーリングテストによる狭圧による本発明である指挟圧比較測定器本体内に発生する歪や前記被検出圧力の測定を実施するために被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積により、２回以上繰り返し当該本体を使用することは、当事者は前記基準圧力を測定する場合におい��、前記の被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積の影響によりまた前記歪により、正しい当事者の基準圧力の測定が困難となる。そこで本発明である指挟圧比較測定器本体内に前記超微弱電磁性残留の蓄積や前記歪を除去するために歪補正部１２を設けてある。【００１３】図３において１は本発明である指挟圧比較測定器本体で厚みは１０ｍｍ以下、重量は３００ｇ以下である。２は前記図１のオーリングテスト基本形である狭圧力を測定するために梃子の原理を応用した圧力検出部で当事者利き腕側の片手の指において親指と人差指にて可能な限りの力で図中矢印Ｃの方向に狭圧する、３は前記基準圧力及び前期被検出圧力をデジタルで表示する圧力数値表示部、４は前記当事者の基準圧力を測定するための基準圧力測定切替ボタン、５は前期被検出圧力を測定するための被検出圧力測定切替ボタン、６は前記オーリングテストによる狭圧による本発明である指挟圧比較測定器本体内に発生する歪や前記被検出圧力の測定を実施するために被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積を除去する歪除去波動転写物装着室、７は前記当事者の基準圧力測定値と前記被検出圧力の測定値を前記ＣＰＵで演算処理を行いその差数を表示する圧力比較表示部である。尚当該実施例には拘束されないが本実施例では横方向桝表示で液晶表示をしており桝表示が右方向にゆくほど前期操作で行った被検出物が当事者に良い影響を及ぼすと判断され逆に左方向にゆくほど当事者に悪い影響を及ぼすと判断する。【００１４】また図４において１は本発明である指挟圧比較測定器本体で厚みは１０ｍｍ以下、重量は３００ｇ以下である。２は前記図１のオーリングテスト基本形である狭圧力を測定するために梃子の原理を応用した圧力検出部で当事者利き腕側の片手の指において当該指挟圧比較測定器の表裏を親指と人差指にて可能な限りの力で図中矢印Ｄの方向に狭圧する、３は前記基準圧力及び前期被検出圧力をデジタルで表示する圧力数値表示部、４は前記当事者の基準圧力を測定するための基準圧力測定切替ボタン、５は前期被検出圧力を測定するための被検出圧力測定切替ボタン、６は前記オーリングテストによる狭圧による本発明である指挟圧比較測定器本体内に発生する歪や前記被検出圧力の測定を実施するために被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積を除去する歪除去波動転写物装着室、７は前記当事者の基準圧力測定値と前記被検出圧力の測定値を前記ＣＰＵで演算処理を行いその差数を表示する圧力比較表示部である。尚当該実施例には拘束されないが本実施例では横方向桝表示で液晶表示をしており桝表示が右方向にゆくほど前期操作で行った被検出物が当事者に良い影響を及ぼすと判断され逆に左方向にゆくほど当事者に悪い影響を及ぼすと判断する。【��０１５】ここで図５のダイアグラムに基づき本発明である指挟圧比較測定器の操作方法を詳細する。指挟圧比較測定器本体の電源を入力する（１０１）。自動的に１２の歪補正部にて前記オーリングテストによる狭圧による本発明である指挟圧比較測定器本体内に発生する歪や前記被検出圧力の測定を実施するために被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積が指挟圧比較測定器本体から除去される（１０２）。次にＢボタンを押すと指挟圧比較測定器が当事者の基準圧力測定モードになる（１０３）。当事者利き腕側の片手の指において親指と人差指にて前記１３の圧力検出部を可能な限りの力で狭圧する（１０４）。当該指圧測定で得られた狭圧強度は１４の圧力−電気信号変換部によって電気信号に変換し１５のＣＰＵにより適宜な演算処理が施され当該指圧測定の基準圧力数値最高値が１６の圧力数値表示部に表示される（１０５）。そして前記基準圧力数値最高値は１５のＣＰＵ内にメモリー保存される（１０６）。【００１６】次に前記被検出圧力の測定を実施するために被検出物として当事者の周囲環境に存在するあるいは当事者が利用する薬、飲食物、嗜好品、装飾品、家具・調度品、食器、小物品、車両あるいは測定したい人間を利き腕以外の手で握りあるいは接触する（１０７）。そしてＯボタンを押すと指挟圧比較測定器は被検出圧力測定モードになる（１０３）。当事者利き腕側の片手の指において親指と人差指にて前記１３の圧力検出部を可能な限りの力で狭圧する（１０９）。当該指圧測定で得られた狭圧強度は１４の圧力−電気信号変換部によって電気信号に変換し１５のＣＰＵにより適宜な演算処理が施され当該指圧測定による被検出物の測定最高数値が１６の圧力数値表示部に表示される（１１０）。更に当該被検出物の測定最高数値は１５のＣＰＵにて記憶保存されている前記基準圧力測定最高数値と演算処理されその差数が１７の圧力比較表示部に指圧差として表示される（１１１）。
【発明の効果】
【００１７】    当事者の周囲環境に存在するあるいは当事者が利用する薬、飲食物、嗜好品、装飾品、家具・調度品、食器、小物品、車両、対人関係等が当事者に対して有益性があるのかあるいは有害性があるのか判断する方法としてオーリングテストが従来から行われている。このオーリングテストとは、最初に当事者即ち被験者は利き腕以外の手には何も持たずあるいは触れない状態で被験者の利き腕側の親指と人差指の先端を接触させて輪を作り最大限の力を込めて狭圧する。一方協力者は被験者が親指と人差指で作った輪を協力者の両手を使い引き離そうとする。この時の力を被験者と協力者の両者は記憶しておく。次に被験者は空いている片手で被験者に対して有益性なのか有害性なのか判断する為に被験者が検査を望む物、例えばタバコ、を掴んであるいは接触した状態で被験者の利き腕側の親指と人差指の先端を接触させて輪を作り最大限の力を込めて狭圧する。そして協力者は被験者が親指と人差指で作った輪を協力者の両手を使い引き離そうとする。この時の力と最初に行った力の差を被験者と協力者が比較して被験者が検査を望んだ物が最初の力より２回目の力が弱ければ有害性、また最初の力より２回目の力が強ければ有益性と判断するものである。しかしながらこの従来の方法であるオーリングテストでは、当事者がオーリングテストの検査を行う為には少なくとも１名の協力者が必要でありまた非検出物が被験者と協力者の両方に一致して有益性あるいは有害性であれば同一の検査結果が得られるが、非検出物の有益性あるいは有害性が被験者と協力者間で異なる場合は必ずしも同一の結果が得られない欠点があった。また非検出物の有益性あるいは有害性が被験者に対して微妙な場合は、最初に行うオーリングテストの力と２回目に行うオーリングテストの力の差を判断出来ない欠点もあった。本発明の指挟圧比較測定器は協力者を必要とすることなく当事者の周囲環境に存在するあるいは当事者が利用する薬、飲食物、嗜好品、装飾品、家具・調度品、食器、小物品、車両、対人関係から生じて当事者に及ぼす影響力を一人で実施することが可能となり且つ厚さ１０ｍｍ以内で重量が３００ｇ以下であることから携帯が可能となり当事者は適時前記被検出物を測定することが出来るようになる。
【００１８】更に本発明の請求項２の通り指挟圧比較測定器本体に歪除去波動転写物装着室を装備しているため前記オーリングテストによる狭圧により指挟圧比較測定器本体内に発生する歪や前記被検出圧力の測定を実施するために被検出物として当事者の周囲環境に存在するあるいは当事者が利用する薬、飲食物、嗜好品、装飾品、家具・調度品、食器、小物品、車両、対人関係からの波動と呼ばれる超微弱電磁性残留の蓄積を除去するため微妙な圧力差を正確に測定することが可能となるのである。
【図面の簡単な説明】
【図１】オーリングテスト基本形概説図
【図２】指挟圧比較測定器の機能例ブロック図
【図３】指挟圧比較測定器の使用例ダイアグラム
【図４】指挟圧比較測定器の概略斜視図
【図５】指挟圧比較測定器の概略斜視図
【符号の説明】
１・・・・・・指挟圧比較測定器本体
２・・・・・・圧力検出部
３・・・・・・圧力数値表示部
４・・・・・・基準圧力測定切替ボタン
５・・・・・・被検出圧力測定切替ボタン
６・・・・・・歪除去波動転写物装着室
７・・・・・・圧力比較表示部
８・・・・・・圧力検出部
【図１】
2005118486.tif 000003
【図２】
2005118486.tif 000004
【図３】
2005118486.tif 000005
【図４】
2005118486.tif 000006
【図５】
2005118486.tif 000007